(57)【要約】【課題】光源の点灯タイミングを最適に行って、電力消費を抑制することができる画像読み込み装置を提供する。【解決手段】画像読み込み装置１０は、原稿搬送部１０ｂと、原稿読取部１０ａと、制御部０とを備える。原稿搬送部１０ｂは、複数の原稿Ｒを順に搬送する。原稿読取部１０ａは、複数の原稿Ｒの各々から画像を読み取る。原稿読取部１０ａは、原稿Ｒに向かって光を照射するＬＥＤ１３ａを有する。制御部９は、複数の原稿Ｒの読み取りを中断する場合に、ＬＥＤ１３ａを消灯するように、原稿読取部１０ａを制御する。制御部９は、複数の原稿Ｒの読み取りを再開する場合に、既に読み取った原稿Ｒを搬送する空送り動作を行うように、原稿搬送部１０ｂを制御する。制御部９は、空送り動作に要する空送り時間に基づいて、ＬＥＤ１３ａの点灯タイミングを制御する。【選択図】図３
2018195906.tif 000002
【特許請求の範囲】
【請求項１】
複数の原稿を順に搬送する原稿搬送部と、
前記複数の原稿の各々から画像を読み取る原稿読取部と、
前記原稿搬送部及び前記原稿読取部を制御する制御部と
を備え、
前記原稿読取部は、前記原稿に向かって光を照射する光源を有し、
前記制御部は、
前記複数の原稿の読み取りを中断する場合に、前記光源を消灯するように前記原稿読取部を制御し、
前記複数の原稿の読み取りを再開する場合に、既に読み取った原稿を搬送する空送り動作を行うように、前記原稿搬送部を制御し、
前記空送り動作に要する空送り時間に基づいて、前記光源の点灯タイミングを制御する、画像読み込み装置。
【請求項２】
前記原稿読取部は、前記原稿で反射した反射光を受光する読取センサーを更に有し、
前記制御部は、
前記複数の原稿の読み取りを再開する場合に、前記光源を点灯させる光源点灯動作と、前記読取センサーの白基準を調整する白基準動作とを行うように、前記原稿読取部を制御し、
前記空送り時間に加えて、前記光源点灯動作に要する安定時間と、前記白基準動作に要する白基準動作時間とに基づいて、前記光源の点灯タイミングを制御し、
前記安定時間は、前記光源が前記光を安定して出射するまでに要する時間を示す、請求項１に記載の画像読み込み装置。
【請求項３】
前記制御部は、前記複数の原稿の読み取りを再開する場合に、前記空送り時間が前記安定時間以上の場合に、前記光源の点灯時間を短縮する短縮処理を行う、請求項２に記載の画像読み込み装置。
【請求項４】
前記制御部は、前記短縮処理において、
前記空送り時間が前記白基準動作時間よりも短い場合に、前記光源点灯動作及び前記白基準動作を行った後に、前記光源を消灯するように、前記原稿読取部を制御し、
前記光源を消灯した後に前記空送り動作を行うように、前記原稿搬送部を制御し、
前記空送り動作の残り時間が前記安定時間以下になった際に、前記光源点灯動作を行うように、前記原稿読取部を制御し、
前記空送り動作の後に、前記複数の原稿のうちから前記既に読み取った原稿を除いた原稿の読み取りを再開するように、前記原稿読取部及び前記原稿搬送部を制御する、請求項３に記載の画像読み込み装置。
【請求項５】
前記制御部は、前記短縮処理において、
前記空送り時間が前記白基準動作時間以上の場合に、前記空送り動作を行うように、前記原稿搬送部を制御し、
前記空送り動作の残り時間が前記安定時間と前記白基準動作時間との合算時間以下になった際に、前記光源点灯動作及び前記白基準動作を行うように、前記原稿読取部を制御し、
前記空送り動作の後に、前記複数の原稿のうちから前記既に読み取った原稿を除いた原稿の読み取りを再開するように、前記原稿読取部及び前記原稿搬送部を制御する、請求項３又請求項４に記載の画像読み込み装置。
【請求項６】
前記原稿搬送部は、
前記原稿から画像を読み取る際に、前記原稿を第１速度で搬送し、
前記空送り動作において、前記原稿を前記第１速度よりも速い第２速度で搬送する、請求項１から請求項５のいずれか１項に記載の画像読み込み装置。
【請求項７】
請求項１から請求項６のいずれか１項に記載の画像読み込み装置と、
前記画像読み込み装置によって生成された画像データに基づいて、記録媒体に画像を形成する画像形成部と
を備える、画像形成装置。
【発明の詳細な説明】
【技術分野】
【０００１】
本発明は、画像読み込み装置、及び画像形成装置に関する。
【背景技術】
【０００２】
特許文献１に記載の画像入力装置は、光源と、読取センサーと、予想時間を求める手段と、タイミングを決定する手段とを備える。光源は、原稿に光を照射する。読取センサーは、原稿から画像を読み取る。予想時間を求める手段は、読取センサーが読み取りを中断した場合に、読み取り再開までの予想時間を求める。タイミングを決定する手段は、予想時間と光源の安定化時間とに基づいて、光源の点灯のタイミングを決定する。この結果、原稿の読み取りを中断した場合に、消費電力に配慮しつつ、光源の安定化時間が確保される。
【先行技術文献】
【特許文献】
【０００３】
【特許文献１】特開２００７−２０２００２号公報
【発明の概要】
【発明が解決しようとする課題】
【０００４】
しかしながら、特許文献１に記載の画像入力装置では、例えば、予想時間を求める際に空送り時間が考慮されない。空送り時間は、空送り動作に要する時間である。空送り動作は、複数の原稿を含む原稿束のうちから、原稿の読み取りを中断するよりも前に既に読み取った原稿を搬送する動作である。したがって、特許文献１に記載の画像入力装置では、複数の原稿の読み取りを再開した場合に、光源の点灯タイミングが最適に行われないおそれがある。
【０００５】
本発明は上記課題に鑑みてなされたものであり、その目的は、光源の点灯タイミングを最適にして、電力消費を抑制することができる画像読み込み装置、及び画像形成装置を提供することにある。
【課題を解決するための手段】
【０００６】
本発明の画像読み込み装置は、原稿搬送部と、原稿読取部と、制御部とを備える。前記原稿搬送部は、複数の原稿を順に搬送する。前記原稿読取部は、前記複数の原稿の各々から画像を読み取る。前記制御部は、前記原稿搬送部及び前記原稿読取部を制御する。前記原稿読取部は、光源を有する。前記光源は、前記原稿に向かって光を照射する。前記制御部は、前記複数の原稿の読み取りを中断する場合に、前記光源を消灯するように前記原稿読取部を制御する。前記制御部は、前記複数の原稿の読み取りを再開する場合に、既に読み取った原稿を搬送する空送り動作を行うように、前記原稿搬送部を制御する。前記制御部は、前記空送り動作に要する空送り時間に基づいて、前記光源の点灯タイミングを制御する。
【０００７】
本発明の画像形成装置は、上記画像読み込み装置と、画像形成部とを備える。前記画像形成部は、前記画像読み込み装置によって生成された画像データに基づいて、記録媒体に画像を形成する。
【発明の効果】
【０００８】
本発明の画像読み込み装置、及び画像形成装置によれば、光源の点灯タイミングを最適にして、電力消費を抑制することができる。
【図面の簡単な説明】
【０００９】
【図１】本発明の実施形態に係る画像形成装置の構成を示す図である。
【図２】本発明の実施形態に係る画像読み込み装置の構成を示す図である。
【図３】本発明の実施形態に係る画像形成装置を示すブロック図である。
【図４】本発明の実施形態に係る制御部による再読み取り処理を示すフローチャートである。
【図５】本発明の実施形態に係る制御部による短縮処理を示すフローチャートである。
【発明を実施するための形態】
【００１０】
以下、図面を参照して本発明の実施形態を説明する。ただし、本発明は以下の実施形態に限定されない。なお、図中、同一又は相当部分については、同一の参照符号を付して説明を繰り返さない。
【００１１】
図１を参照して、本発明の実施形態に係る画像形成装置１について説明する。図１は、本実施形態に係る画像形成装置１の構成を示す図である。図１に示すように、画像形成装置１は、複合機である。複合機は、例えば、コピー機能、プリンター機能、及びファクシミリ機能のうち少なくとも２つの機能を有する。画像形成装置１は、画像データに基づいて用紙Ｓに画像を形成する。
【００１２】
用紙Ｓは、本発明の記録媒体の一例である。用紙Ｓは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００１３】
画像形成装置１は、筐体２と、給紙部３と、画像形成部４と、定着部５と、排出トレイ６と、操作パネル８と、制御部９と、画像読み込み装置１０とを備える。筐体２は、箱状に形成される。筐体２は、給紙部３と、画像形成部４と、定着部５と、制御部９とを内部に収容する。
【００１４】
画像読み込み装置１０は、筐体２の上端部に支持される。画像読み込み装置１０は、原稿の画像を読み取る。具体的には、画像読み込み装置１０は、原稿読取部１０ａと、原稿搬送部１０ｂとを備える。原稿搬送部１０ｂは、原稿載置トレイ１６を備える。原稿載置トレイ１６には、原稿束が載置され得る。原稿束は、少なくとも１枚の原稿を含む。
【００１５】
原稿搬送部１０ｂは、原稿束のうち最も上の原稿を原稿読取部１０ａに向かって順に搬送する。原稿読取部１０ａは、原稿搬送部１０ｂによって搬送される原稿の画像を読み取る。原稿読取部１０ａは、読み取った画像を示す画像データを生成する。原稿読取部１０ａは、画像データを制御部９に出力する。
【００１６】
操作パネル８は、原稿読取部１０ａの外表面に配置される。操作パネル８は、画像形成装置１を操作する操作者の操作を受け付ける。具体的には、操作パネル８は、操作部と、表示部とを有する。操作部は、操作信号を制御部９に出力する。操作信号は、操作者の操作に対応する。操作者の操作は、例えば、画像形成装置１の各種設定を含む。表示部は、各種の画面を表示する。表示部は、例えば、液晶ディスプレーを含む。また、表示部は、タッチパネル機能を有する場合に、操作部としても機能する。
【００１７】
画像形成部４は、像担持体４１と、帯電部４２と、露光部４３と、現像部４４と、転写部４５とを有する。画像形成部４は、給紙部３から給紙される用紙Ｓにトナー画像を形成する。定着部５は、用紙Ｓにトナー画像を定着させる。トナー画像が定着された用紙Ｓは、排出トレイ６に排出される。
【００１８】
制御部９は、画像形成装置１の各部を制御する。制御部９は、例えば、プロセッサーと、記憶部とを含む。プロセッサーは、例えば、ＣＰＵ（Ｃｅｎｔｒａｌ  Ｐｒｏｃｅｓｓｉｎｇ  Ｕｎｉｔ）である。記憶部は、例えば、半導体メモリー及びＨＤＤ（Ｈａｒｄ  Ｄｉｓｋ  Ｄｒｉｖｅ）を含む。プロセッサーは、コンピュータープログラムに基づいて、給紙部３と、画像形成部４と、定着部５と、操作パネル８と、画像読み込み装置１０とを制御する。コンピュータープログラムは、記憶部に予め記憶される。
【００１９】
次に、図２を参照して、画像読み込み装置１０の構成について更に説明する。図２は、画像読み込み装置１０の構成を示す図である。図２に示すように、原稿読取部１０ａは、載置台１１と、読取部１２とを有する。
【００２０】
載置台１１は、副コンタクトガラス１１ａと、主コンタクトガラス１１ｂと、仕切り板１１ｃとを有する。
【００２１】
副コンタクトガラス１１ａ及び主コンタクトガラス１１ｂは、透明な板状のガラスから形成される。仕切り板１１ｃは、副コンタクトガラス１１ａと主コンタクトガラス１１ｂとの間に配置される。仕切り板１１ｃの下面は、白色を示す。なお、副コンタクトガラス１１ａと主コンタクトガラス１１ｂとは、一体に形成されてもよい。この場合に、１枚のコンタクトガラスは、仕切り板１１ｃによって、副コンタクトガラス１１ａとして機能する領域と、主コンタクトガラス１１ｂとして機能する領域とに区分される。
【００２２】
読取部１２は、載置台１１の下方に配置される。読取部１２は、副コンタクトガラス１１ａを介して、原稿Ｒの表面に形成された画像を読み取る。また、読取部１２は、主コンタクトガラス１１ｂに載置された原稿Ｒの画像を読み取る。読取部１２は、読み取った画像を示す画像データを生成する。読取部１２は、図１を参照して説明した制御部９に画像データを出力する。
【００２３】
読取部１２は、走査部１２ａと、案内部１２ｂとを有する。走査部１２ａは、例えば、ＣＩＳ（Ｃｏｎｔａｃｔ  Ｉｍａｇｅ  Ｓｅｎｓｏｒ）ユニットと、キャリッジとを有する。ＣＩＳユニットは、ＬＥＤ（Ｌｉｇｈｔ  Ｅｍｉｔｔｉｎｇ  Ｄｉｏｄｅ）１３ａと、結像レンズと、読取センサー１３ｂとを有する。ＬＥＤ１３ａは、本発明の光源の一例である。ＬＥＤ１３ａは、原稿Ｒに向かって光を照射する。結像レンズは、原稿Ｒからの反射光を読取センサー１３ｂに結像する。読取センサー１３ｂは、原稿Ｒから反射光を受光する。読取センサー１３ｂは、受光した反射光に対応する画像データを生成する。読取センサー１３ｂは、例えば、イメージセンサーである。
【００２４】
キャリッジは、ＣＩＳユニットを支持する。案内部１２ｂは、副走査方向に延びる。案内部１２ｂは、キャリッジを副走査方向に移動可能に支持する。換言すると、案内部１２ｂは、走査部１２ａを副走査方向に案内する。走査部１２ａは、案内部１２ｂによって案内されて、主コンタクトガラス１１ｂに載置された原稿Ｒに対して光を走査する。
【００２５】
原稿搬送部１０ｂは、原稿載置トレイ１６に加えて、ピックアップローラー１７ａと、給紙ローラー１７ｂと、給紙センサー１５ａと、排紙センサー１５ｂと、原稿排出トレイ１８と、原稿検知センサー１９とを更に有する。原稿検知センサー１９は、原稿載置トレイ１６に載置された原稿Ｒを検知する。原稿検知センサー１９は、制御部９に原稿検知信号を出力する。原稿検知信号は、原稿載置トレイ１６に原稿Ｒが載置されていることを示す。
【００２６】
ピックアップローラー１７ａは、原稿載置トレイ１６の上方に配置される。ピックアップローラー１７ａは、原稿束Ｒ１の上面に当接して回転する。この結果、原稿束Ｒ１の最も上に位置する原稿Ｒは、搬送経路の入口に向かって送出される。本実施形態において、原稿束Ｒ１は、複数の原稿Ｒによって構成される。ピックアップローラー１７ａは、例えば、予め設定された時間が経過する毎に、原稿束Ｒ１から１枚の原稿Ｒを送出する。
【００２７】
給紙ローラー１７ｂは、原稿載置トレイ１６から送出された原稿Ｒを搬送経路に給紙する。原稿Ｒは、副コンタクトガラス１１ａを介して原稿排出トレイ１８まで搬送される。原稿排出トレイ１８には、原稿Ｒが順に積載される。
【００２８】
給紙センサー１５ａ及び排紙センサー１５ｂは、原稿Ｒを検知する。給紙センサー１５ａは、給紙ローラー１７ｂの原稿Ｒの搬送方向下流側に配置される。給紙センサー１５ａは、原稿載置トレイ１６から送出された原稿Ｒを検知する。給紙センサー１５ａは、給紙検知信号を制御部９に出力する。給紙検知信号は、原稿載置トレイ１６から送出された原稿Ｒを検知したことを示す。なお、給紙検知信号は、原稿Ｒの下流側端部（前端部）を検知したことを示してもよい。
【００２９】
排紙センサー１５ｂは、原稿排出トレイ１８の原稿Ｒの搬送方向上流側に配置される。排紙センサー１５ｂは、原稿排出トレイ１８に排出される原稿Ｒを検知する。排紙センサー１５ｂは、排紙検知信号を制御部９に出力する。排紙検知信号は、原稿排出トレイ１８に排出される原稿Ｒを検知したことを示す。なお、排紙検知信号は、原稿Ｒの上流側端部（後端部）を検知したことを示してもよい。
【００３０】
次に、図２及び図３を参照して、制御部９について更に説明する。図３は、画像形成装置１を示すブロック図である。制御部９は、原稿検知信号が入力される間に操作信号が入力されると、原稿Ｒの画像を読み込むように、画像読み込み装置１０の制御を開始する。ここで、操作信号は、原稿Ｒの読み込みの開始を示す。制御部９は、操作信号に基づいて、光源点灯動作と、白基準動作と、原稿読取動作とを行うように、画像読み込み装置１０を制御する。具体的には、光源点灯動作、白基準動作、及び原稿読取動作は、この順に行われる。
【００３１】
次に、制御部９による光源点灯動作時の制御について説明する。制御部９は、光源点灯動作において、ＬＥＤ１３ａが点灯するように、原稿読取部１０ａを制御する。詳しくは、制御部９は、光源点灯動作において、ＬＥＤ１３ａを点灯させてから安定時間が経過したか否かを判定する。安定時間は、ＬＥＤ１３ａが点灯してからＬＥＤ１３ａが安定して光を出射するまでに要する時間である。
【００３２】
次に、制御部９による白基準動作時の制御について説明する。制御部９は、ＬＥＤ１３ａを点灯させて、安定時間が経過した場合に、白基準動作を行うように、読取部１２を制御する。制御部９は、白基準動作において、読取センサー１３ｂの白基準を調整する。読取センサー１３ｂは、仕切り板１１ｃで反射する反射光を読み取って白基準を調整する。本実施形態において、走査部１２ａは、原稿読取動作の後に、仕切り板１１ｃの直下に移動される。したがって、読取センサー１３ｂは、白基準動作時に仕切り板１１ｃの直下に位置する。
【００３３】
また、制御部９は、白基準動作において、走査部１２ａを移動させる。詳しくは、走査部１２ａは、読取センサー１３ｂの白基準が調整された後に移動する。走査部１２ａは、副コンタクトガラス１１ａの直下に移動する。
【００３４】
次に、制御部９による原稿読取動作時の制御について説明する。制御部９は、副コンタクトガラス１１ａの直下に走査部１２ａが移動した後に、原稿読取動作を行うように、原稿読取部１０ａ及び原稿搬送部１０ｂを制御する。詳しくは、制御部９は、原稿読取動作において、原稿Ｒを順に搬送するように、原稿搬送部１０ｂを制御し、読取センサー１３ｂによって原稿Ｒの画像を読み取るように、原稿読取部１０ａを制御する。
【００３５】
また、制御部９は、原稿読取動作において、第１枚数と第２枚数とを計測する。第１枚数は、画像の読み取りを開始した原稿Ｒの枚数を示す。制御部９は、給紙検知信号に基づいて、第１枚数を計測する。第２枚数は、画像の読み取りを終了した原稿Ｒの枚数を示す。制御部９は、排紙検知信号に基づいて、第２枚数を計測する。制御部９は、原稿読取動作において、原稿Ｒの読み取りを終了する毎に読取部１２から入力される画像データを第２枚数に関連付けて記憶部に記憶する。この結果、制御部９は、画像データが原稿束Ｒ１のうち何番目の原稿Ｒの画像を示すかを特定し得る。
【００３６】
続いて、原稿Ｒの読み取りを中断した際の制御部９による画像形成装置１の制御について説明する。制御部９は、原稿読取動作において、原稿Ｒの読み取りを中断した際に、エラー画面を表示するように、操作パネル８を制御する。エラー画面は、原稿束Ｒ１の読み取りを中断した原因を解消するように指示する画面である。この結果、原稿Ｒの読み取りを中断したことを操作者に報知できる。原稿Ｒの読み取りは、例えば、原稿搬送部１０ｂ内で原稿Ｒが紙詰まりした際に中断される。原稿Ｒの紙詰まりは、例えば、予め設定された時間内に、第１枚数と第２枚数とが一致しない場合に判定される。原稿Ｒの紙詰まりは、例えば、ジャム処理によって解消される。
【００３７】
制御部９は、原稿束Ｒ１の読み取りを中断した原因が解消された際に、通知画面を表示するように、操作パネル８を制御する。通知画面は、原稿束Ｒ１を原稿載置トレイ１６に載置し直すことを指示する画面である。この結果、原稿Ｒの読み取りを再開するために、原稿束Ｒ１を原稿載置トレイ１６に載置し直す必要があることを操作者に報知できる。操作者は、原稿束Ｒ１の読み取りを再開する場合に、原稿束Ｒ１を原稿載置トレイ１６に載置し直して、原稿束Ｒ１の読み取りを再開させる。したがって、原稿Ｒの読み取りの抜け落ちが抑制される。
【００３８】
続いて、原稿Ｒの読み取りを再開した際の制御部９による画像読み込み装置１０の制御について説明する。制御部９は、原稿束Ｒ１の読み取りの再開を示す操作信号が入力されると、原稿束Ｒ１の読み取りを再開する。制御部９は、操作信号に基づいて、光源点灯動作と、白基準動作と、原稿読取動作と、空送り動作とを行うように、画像読み込み装置１０を制御する。
【００３９】
制御部９は、原稿束Ｒ１の読み取りを再開する際に、空送り時間が安定時間よりも短いか否かを判定する。空送り時間は、空送り動作に要する時間を示す。空送り動作は、原稿Ｒの読み取りを中断するよりも前に既に読み取った原稿Ｒを搬送する動作である。空送り動作において、原稿Ｒは、所定の搬送速度で搬送される。空送り時間は、原稿束Ｒ１の読み取りを中断した際の第２枚数の値と、所定の搬送速度とに基づいて算出される。なお、空送り動作における原稿Ｒの搬送速度と、原稿読取動作における原稿Ｒの搬送速度とは異なってもよい。空送り動作における原稿Ｒの搬送速度は、例えば、原稿読取動作における原稿Ｒの搬送速度よりも速いことが望ましい。この結果、空送り時間を短縮することができる。
【００４０】
制御部９は、空送り時間が安定時間よりも短い場合に、光源点灯動作を行った後に、白基準動作を行うように、原稿読取部１０ａを制御する。また、制御部９は、白基準動作の後に、空送り動作を行うように、原稿搬送部１０ｂを制御する。したがって、空送り時間が安定時間よりも短い場合であっても、読取センサー１３ｂの白基準が確実に調整される。制御部９は、空送り動作の後に、原稿読取動作を行うように、原稿読取部１０ａ及び原稿搬送部１０ｂを制御する。この結果、原稿束Ｒ１のうち既に読み取った原稿Ｒを除く原稿Ｒの読み取りが再開される。
【００４１】
制御部９は、空送り時間が安定時間以上の場合に、短縮処理を実行する。制御部９は、短縮処理において、空送り時間が白基準動作時間よりも短いか否かを判定する。白基準動作時間は、白基準動作に要する時間を示す。
【００４２】
続いて、制御部９による短縮処理について説明する。制御部９は、空送り時間が白基準動作時間よりも短い場合に、光源点灯動作及び白基準動作を行った後に、ＬＥＤ１３ａが消灯するように、原稿読取部１０ａを制御する。したがって、空送り時間が白基準動作時間よりも短い場合であっても、読取センサー１３ｂの白基準が確実に調整される。
【００４３】
制御部９は、ＬＥＤ１３ａを消灯させた後に、空送り動作を行うように、原稿搬送部１０ｂを制御する。制御部９は、空送り動作において、空送り動作の残り時間が第１合算時間以下であるか否かを判定する。空送り動作の残り時間は、空送り動作を終了するまでに要する残りの時間である。第１合算時間は、安定時間とマージン時間とを合算した時間である。マージン時間は、空送り動作を終了するまでに要する実際の時間と空送り動作の残り時間との誤差による影響を無くすための時間である。制御部９は、空送り動作の残り時間が第１合算時間以下であると判定した場合に、光源点灯動作の後に、原稿読取動作を行うように、原稿読取部１０ａ及び原稿搬送部１０ｂを制御する。したがって、本実施形態の画像形成装置１では、ＬＥＤ１３ａが消灯して、空送り動作が開始され、空送り動作中に、原稿読取動作に対応するようにＬＥＤ１３ａが最適のタイミングで点灯する。この結果、光源による電力消費を抑制することができる。
【００４４】
制御部９は、空送り時間が白基準動作時間以上の場合に、空送り動作を行うように、原稿搬送部１０ｂを制御する。制御部９は、空送り動作において、空送り動作の残り時間が第２合算時間以下であるか否かを判定する。第２合算時間は、光源安定時間と白基準動作時間とマージン時間とを合算した時間である。本実施形態の画像形成装置１では、空送り時間が白基準動作時間以上の場合に、空送り動作の残り時間が第２合算時間以下となるまで、ＬＥＤ１３ａが消灯して、空送り動作中に、原稿読取動作に対応するようにＬＥＤ１３ａが最適のタイミングで点灯する。この結果、光源による電力消費を抑制することができる。
【００４５】
制御部９は、空送り動作の残り時間が第２合算時間以下であると判定した場合に、光源点灯動作及び白基準動作を行うように、原稿読取部１０ａを制御する。したがって、空送り時間が白基準動作時間よりも短い場合であっても、読取センサー１３ｂの白基準が確実に調整される。制御部９は、白基準動作及び空送り動作が終了した後に、原稿読取動作を行うように、原稿読取部１０ａ及び原稿搬送部１０ｂを制御する。
【００４６】
次に、図４を参照して、制御部９による再読み取り処理について更に説明する。図４は、制御部９による再読み取り処理を示すフローチャートである。制御部９は、原稿束Ｒ１の読み取りを中断した後に、操作信号に基づいて、再読み取り処理を実行する。再読み取り処理は、原稿束Ｒ１の読み取りを再開する処理である。制御部９は、再読み取り処理において、光源点灯動作、白基準動作、空送り動作、及び原稿読取動作を行うように、画像読み込み装置１０を制御する。
【００４７】
制御部９は、操作信号が入力されると、ステップＳ１０において、空送り時間が安定時間よりも短いか否かを判定する。制御部９は、空送り時間が安定時間よりも短い場合に（ステップＳ１０のＹｅｓ）、ステップＳ２０において、光源点灯動作を行うように、原稿読取部１０ａを制御する。制御部９は、光源点灯動作の後に、ステップＳ３０において、白基準動作を行うように、原稿読取部１０ａを制御する。制御部９は、白基準動作の後に、ステップＳ４０において、空送り動作を行うように、原稿搬送部１０ｂを制御する。制御部９は、空送り動作の後に、ステップＳ５０において、原稿読取動作を行うように、原稿読取部１０ａ及び原稿搬送部１０ｂを制御する。制御部９は、原稿読取動作の後に、再読み込み処理を終了する。
【００４８】
制御部９は、空送り時間が安定時間よりも短くない場合に（ステップＳ１０のＮｏ）、ステップＳ６０において、短縮処理を実行する。制御部９は、短縮処理を実行した後に、ステップＳ５０において、原稿読取動作を行うように、原稿読取部１０ａ及び原稿搬送部１０ｂを制御する。制御部９は、原稿読取動作の後に、再読み込み処理を終了する。
【００４９】
次に、図５を参照して、制御部９による短縮処理について説明する。図５は、制御部９による短縮処理を示すフローチャートである。制御部９は、再読み取り処理において、空送り時間が安定時間よりも短くない場合に（図４に示すステップＳ１０のＮｏ）、短縮処理を実行する。
【００５０】
制御部９は、空送り時間が安定時間よりも短くない場合に、図５に示すステップＳ１１０において、空送り時間が白基準動作時間よりも短いか否かを判定する。制御部９は、空送り時間が白基準動作時間よりも短い場合に（ステップＳ１１０のＹｅｓ）、ステップＳ１２０において、光源点灯動作を行うように、原稿読取部１０ａを制御する。制御部９は、光源点灯動作の後に、ステップＳ１３０において、白基準動作を行うように、原稿読取部１０ａを制御する。制御部９は、白基準動作の後に、ステップＳ１４０において、ＬＥＤ１３ａを消灯するように、原稿読取部１０ａを制御する。
【００５１】
制御部９は、ＬＥＤ１３ａを消灯した後に、ステップＳ１５０において、空送り動作を行うように、原稿搬送部１０ｂを制御する。制御部９は、空送り動作を開始した後に、ステップＳ１６０において、空送り動作の残り時間が第１合算時間以下であるか否かを判定する。制御部９は、残り時間が第１合算時間以下ではない場合に（ステップＳ１６０のＮｏ）、ステップＳ１６０の処理を繰り返す。制御部９は、残り時間が第１合算時間以下である場合に（ステップＳ１６０のＹｅｓ）、ステップＳ１７０において、光源点灯動作を行うように、原稿読取部１０ａを制御する。制御部９は、ステップＳ１７０の光源点灯動作の後に、短縮処理を終了する。
【００５２】
制御部９は、空送り時間が白基準動作時間よりも短くない場合に（ステップＳ１１０のＮｏ）、ステップＳ１８０において、空送り動作を行うように、原稿搬送部１０ｂを制御する。制御部９は、空送り動作を開始した後に、ステップＳ１９０において、空送り動作の残り時間が第２合算時間以下であるか否かを判定する。制御部９は、残り時間が第２合算時間以下ではない場合に（ステップＳ１９０のＮｏ）、ステップＳ１９０の処理を繰り返す。制御部９は、残り時間が第２合算時間以下である場合に（ステップＳ１９０のＹｅｓ）、ステップＳ２００において、光源点灯動作を行うように、原稿読取部１０ａを制御する。制御部９は、光源点灯動作の後に、ステップＳ２１０において、白基準動作を行うように、原稿読取部１０ａを制御する。制御部９は、白基準動作の後に、短縮処理を終了する。
【００５３】
以上、図１から図５を参照して、本発明の実施形態に係る画像読み込み装置１０、及び画像形成装置１について説明した。但し、本発明は、上記の実施形態に限られるものではなく、その要旨を逸脱しない範囲で種々の態様において実施することが可能である。
【００５４】
例えば、本発明の実施形態では、画像形成装置１が制御部９と画像読み込み装置１０とを備え、制御部９が画像読み込み装置１０を制御していたが、本発明はこれに限定されない。本発明は、原稿Ｒから画像を読み取って、画像を示す画像データを生成する装置（画像読み込み装置）に適用され得る。本発明は、例えば、スキャナーのような画像読み込み装置に適用され得る。この場合に、画像読み込み装置は、制御部を更に備える。制御部は、原稿読取部及び原稿搬送部を制御する。
【００５５】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の形状等は一例であって、特に限定されるものではなく、本発明の効果から実質的に逸脱しない範囲で種々の変更が可能である。
【産業上の利用可能性】
【００５６】
本発明は、原稿の画像を読み取る画像読み込み装置、及び画像形成装置に関するものであり、光源の点灯タイミングを最適にし、電力消費を抑制するために有用である。
【符号の説明】
【００５７】
１        画像形成装置
９        制御部
１０      画像読み込み装置
１０ａ    原稿読取部
１０ｂ    原稿搬送部
１３ａ    ＬＥＤ
Ｒ        原稿
【図１】
2018195906.tif 000003
【図２】
2018195906.tif 000004
【図３】
2018195906.tif 000005
【図４】
2018195906.tif 000006
【図５】
2018195906.tif 000007